(57)【要約】【課題】水産動物を傷つけることなく所定の水深に於いて水産動物を水中へと放流したり、所定の水深の所定の場所に於いて水産植物を水中で撒布したりすることができるようにする。【解決手段】中空部１１ｂ及び開放部１１ｃを有する収容部１１と開放部１１ｃに宛がわれて開放部１１ｃを塞ぐ蓋部１２とを備える容器１０を、水中へと垂下する吊下げ部材２に固定して取り付け、蓋部１２と係合すると共に張力が発生している状態では蓋部１２を開放部１１ｃへと押し当てて固定する弾性紐部材２３，棒状をなして回動すると共に張力が発生している状態の弾性紐部材２３が引っ掛けられ且つ回動が許容される状態では弾性紐部材２３が外れる回動部材２１ａ，及び回動部材２１ａを保持する位置から解放する位置へと吊下げ部材２に沿って移動する回動制御部２２と共に水中へと下降させ、水中に於いて回動制御部２２を吊下げ部材２に沿って移動させるようにした。【選択図】図１
2019122284.tif 000002
【特許請求の範囲】
【請求項１】
開口を有する収容部と前記開口に宛がわれる蓋部とを備える容器を吊下げ部材に取り付けると共に前記蓋部と係合する弾性紐部材及び回動部材を備え付けて水中へと下降させ、前記弾性紐部材が引っ掛けられる位置から外れる位置へと前記回動部材を水中に於いて回動させて前記蓋部の拘束力を解放することを特徴とする水産動植物のリリース方法。
【請求項２】
中空部及び当該中空部を外部と連通させる開口を有する収容部と前記開口に宛がわれて前記開口を塞ぐ蓋部とを備える容器を、紐状をなして下端に錘が取り付けられると共に水中へと垂下する吊下げ部材に固定して取り付け、前記蓋部と係合すると共に張力が発生している状態では前記蓋部を前記開口へと押し当てて固定する弾性紐部材，棒状をなして回動すると共に張力が発生している状態の前記弾性紐部材が引っ掛けられ且つ回動が許容される状態では前記弾性紐部材が外れる回動部材，及び前記回動部材を保持する位置から解放する位置へと前記吊下げ部材に沿って移動する回動制御部と共に水中へと下降させ、水中に於いて前記回動制御部を前記吊下げ部材に沿って移動させて、前記回動部材が保持されて前記回動部材の回動が禁止されている状態から前記回動部材が解放されて前記回動部材の回動が許容される状態へと切り換えることを特徴とする水産動植物のリリース方法。
【請求項３】
前記吊下げ部材に沿って降下部材を投下し、当該降下部材を当接させることによって前記回動制御部を前記吊下げ部材に沿って移動させることを特徴とする請求項２記載の水産動植物のリリース方法。
【請求項４】
前記回動制御部の下端部を前記錘よりも下方まで延出するものとして設け、前記回動制御部の下端部を水底又は岩礁に当接させることによって前記回動制御部を前記吊下げ部材に沿って移動させることを特徴とする請求項２記載の水産動植物のリリース方法。
【請求項５】
吊下げ部材と、当該吊下げ部材に取り付けられると共に開口を有する収容部と、当該収容部の前記開口に宛がわれる蓋部と、当該蓋部と係合する弾性紐部材と、当該弾性紐部材が引っ掛けられたり外れたりする回動部材とを有し、前記弾性紐部材が引っ掛けられる位置から外れる位置へと前記回動部材が水中に於いて回動して前記蓋部の拘束力を解放することを特徴とする水産動植物のリリース装置。
【請求項６】
紐状をなして下端に錘が取り付けられると共に水中へと垂下する吊下げ部材と、当該吊下げ部材に固定して取り付けられると共に中空部及び当該中空部を外部と連通させる開口を有する収容部と、当該収容部の前記開口に宛がわれて前記開口を塞ぐ蓋部と、当該蓋部と係合すると共に張力が発生している状態では前記蓋部を前記開口へと押し当てて固定する弾性紐部材と、棒状をなして回動すると共に張力が発生している状態の前記弾性紐部材が引っ掛けられ且つ回動が許容される状態では前記弾性紐部材が外れる回動部材と、当該回動部材を保持して当該回動部材の回動を禁止する位置から当該回動部材を解放して当該回動部材の回動を許容する位置へと吊下げ部材に沿って移動する回動制御部とを有することを特徴とする水産動植物のリリース装置。
【請求項７】
前記吊下げ部材に沿って下降して前記回動制御部へと当接して当該回動制御部を前記吊下げ部材に沿って移動させる降下部材を更に有することを特徴とする請求項６記載の水産動植物のリリース装置。
【請求項８】
前記回動制御部が、下端部が前記錘よりも下方まで延出するものとして設けられ、前記回動制御部の下端部が水底又は岩礁に当接することによって前記回動制御部が前記吊下げ部材に沿って移動することを特徴とする請求項６記載の水産動植物のリリース装置。
【発明の詳細な説明】
【技術分野】
【０００１】
本発明は、水産動植物のリリース方法及びリリース装置に関する。さらに詳述すると、本発明は、例えば魚を所定の水深に於いて放す際や水産植物を所定の水深の所定の場所へと撒く際に用いて好適な技術に関する。
【背景技術】
【０００２】
浮袋（「浮嚢」や「鰾」とも表記される）を有する海産魚（具体的には例えば、メバルやカサゴなどの根魚）は、水深２０ ｍ よりも深いところから表層／水面に引き上げられると水圧変化によって浮袋が膨張し、潜って水中へと戻ることができず、また、各種臓器を圧迫して斃死する。このため、表層／水面に引き上げた後に資源保護のために放す場合は、浮袋の膨張を解消する必要があった。
【０００３】
浮袋の膨張を解消する従来の手法として、例えば、浮袋に針を刺して浮袋内の空気圧を大気圧と同等にする方法がある（非特許文献１）。
【０００４】
浮袋の膨張を解消する従来の他の手法として、捕獲した魚を捕獲した水深へと強制的に戻して放す方法がある。具体的には、かえしが設けられていない錘付き針を魚の口部に上から刺した状態で沈める方法、或いは、魚の口部を挟み込む錘付き装置で水底（具体的には、海底）に沈めて水底に接地時の錘重力の解放によって挟み込み機構を開放する方法や、魚の口部を挟み込む装置で水中に沈めて所定の水深に到達した時に水圧センサーの働きによって挟み込み機構を開放する方法などがある。
【先行技術文献】
【非特許文献】
【０００５】
【非特許文献１】山口和雄「日本漁業史」，一般財団法人東京大学出版会，ｐ．２４３，１９７９年
【発明の概要】
【発明が解決しようとする課題】
【０００６】
しかしながら、魚の浮袋に針を刺す方法では、物理的な臓器の損傷或いは感染症によって生残する確率が低下するという問題があり、資源保護のための魚の放流の仕方として適切な方法であるとは言い難い。
【０００７】
また、錘付き針で沈める方法では、魚の口唇を傷つけることになってしまい、感染症によって生残する確率が低下するという問題があり、資源保護のための魚の放流の仕方として適切な方法であるとは言い難い。
【０００８】
また、魚の口部を挟み込む装置で沈める方法では、魚の口部を挟む力が弱いと予定の水深に到達する前に装置から口部が外れてしまい、浮袋が十分に収縮できないために生残する確率が低下し、一方、魚の口部を確実に留めるように挟む力を強くすると魚の口唇を傷つけることになってしまい、感染症によって生残する確率が低下するという問題があり、資源保護のための魚の放流の仕方として適切な方法であるとは言い難い。
【０００９】
また、水中の岩礁や海底などに水産植物を根付かせようとする場合に、水産植物を水面から単に撒き散らすだけでは、水流などによって水産植物が流されてしまって水中の意図した場所へと水産植物を撒くことができないという問題があり、資源の創生や再生のための水産植物の撒布の仕方として適切な方法であるとは言い難い。
【００１０】
そこで、本発明は、水産動物を傷つけることなく所定の水深に於いて水産動物を水中へと放流したり、所定の水深の所定の場所に於いて水産植物を水中で撒布したりすることができる水産動植物のリリース方法及びリリース装置を提供することを目的とする。
【課題を解決するための手段】
【００１１】
かかる目的を達成するため、本発明の水産動植物のリリース方法は、開口を有する収容部と開口に宛がわれる蓋部とを備える容器を吊下げ部材に取り付けると共に蓋部と係合する弾性紐部材及び回動部材を備え付けて水中へと下降させ、弾性紐部材が引っ掛けられる位置から外れる位置へと回動部材を水中に於いて回動させて蓋部の拘束力を解放するようにしている。
【００１２】
また、本発明の水産動植物のリリース装置は、吊下げ部材と、当該吊下げ部材に取り付けられると共に開口を有する収容部と、当該収容部の開口に宛がわれる蓋部と、当該蓋部と係合する弾性紐部材と、当該弾性紐部材が引っ掛けられたり外れたりする回動部材とを有し、弾性紐部材が引っ掛けられる位置から外れる位置へと回動部材が水中に於いて回動して蓋部の拘束力を解放するようにしている。
【００１３】
したがって、これらの水産動植物のリリース方法や水産動植物のリリース装置によると、蓋部が宛がわれる開口を有する収容部に水産動植物を収容した上で水中へと下降させて水中に於いて蓋部の拘束力を解放することにより、開口が開放されて水産動植物が収容部の外部へとリリースされる。
【００１４】
本発明の水産動植物のリリース方法は、中空部及び当該中空部を外部と連通させる開口を有する収容部と開口に宛がわれて開口を塞ぐ蓋部とを備える容器を、紐状をなして下端に錘が取り付けられると共に水中へと垂下する吊下げ部材に固定して取り付け、蓋部と係合すると共に張力が発生している状態では蓋部を開口へと押し当てて固定する弾性紐部材，棒状をなして回動すると共に張力が発生している状態の弾性紐部材が引っ掛けられ且つ回動が許容される状態では弾性紐部材が外れる回動部材，及び回動部材を保持する位置から解放する位置へと吊下げ部材に沿って移動する回動制御部と共に水中へと下降させ、水中に於いて回動制御部を吊下げ部材に沿って移動させて、回動部材が保持されて当該回動部材の回動が禁止されている状態から回動部材が解放されて当該回動部材の回動が許容される状態へと切り換えるようにしても良い。
【００１５】
また、本発明の水産動植物のリリース装置は、紐状をなして下端に錘が取り付けられると共に水中へと垂下する吊下げ部材と、当該吊下げ部材に固定して取り付けられると共に中空部及び当該中空部を外部と連通させる開口を有する収容部と、当該収容部の開口に宛がわれて開口を塞ぐ蓋部と、当該蓋部と係合すると共に張力が発生している状態では蓋部を開口へと押し当てて固定する弾性紐部材と、棒状をなして回動すると共に張力が発生している状態の弾性紐部材が引っ掛けられ且つ回動が許容される状態では弾性紐部材が外れる回動部材と、当該回動部材を保持して当該回動部材の回動を禁止する位置から回動部材を解放して当該回動部材の回動を許容する位置へと吊下げ部材に沿って移動する回動制御部とを有するようにしても良い。
【００１６】
これらの水産動植物のリリース方法や水産動植物のリリース装置の場合には、蓋部によって塞がれる開口を有する収容部に水産動植物を収容した上で水中へと下降させて水中に於いて回動部材の回動の禁止状態から許容状態へと切り換えることにより、開口が開放されて水産動植物が収容部の外部へとリリースされる。
【００１７】
また、本発明の水産動植物のリリース方法は、吊下げ部材に沿って降下部材を投下し、当該降下部材を当接させることによって回動制御部を吊下げ部材に沿って移動させるようにしても良く、また、本発明の水産動植物のリリース装置は、吊下げ部材に沿って下降して回動制御部へと当接して当該回動制御部を吊下げ部材に沿って移動させる降下部材を更に有するようにしても良い。これらの場合には、回動制御部を移動させるトリガーとして降下部材を使用することにより、収容部を水中へと下降させた上で任意のタイミングで（言い換えると、適時に）、延いては収容部が所望の水深に在る時に開口が開放されて水産動植物が収容部の外部へとリリースされる。
【００１８】
また、本発明の水産動植物のリリース方法は、回動制御部の下端部を錘よりも下方まで延出するものとして設け、回動制御部の下端部を水底又は岩礁に当接させることによって回動制御部を吊下げ部材に沿って移動させるようにしても良く、また、本発明の水産動植物のリリース装置は、回動制御部が、下端部が錘よりも下方まで延出するものとして設けられ、回動制御部の下端部が水底又は岩礁に当接することによって回動制御部が吊下げ部材に沿って移動するようにしても良い。これらの場合には、回動制御部を移動させるトリガーとして回動制御部自体を使用することにより、水底や岩礁に着底・着地等した時に開口が開放されて水産動植物が収容部の外部へとリリースされる。
【発明の効果】
【００１９】
本発明の水産動植物のリリース方法や水産動植物のリリース装置によれば、収容部に水産動植物を収容した上で水中へと下降させた上で水中に於いて開口を開放して水産動植物を収容部の外部へとリリースすることができるので、水産動物を傷つけることなく所定の水深に於いて水産動物を水中へと放流したり、所定の水深の所定の場所に於いて水産植物を水中で撒布したりすることが可能になり、延いては水産動物の生残確率の向上や水産植物の撒布の確実性の向上を図ることが可能になる。
【００２０】
本発明の水産動植物のリリース方法及び水産動植物のリリース装置は、降下部材が投下されて回動制御部が移動するようにした場合には、収容部が所望の水深に在る時に開口を開放して水産動植物を収容部の外部へとリリースすることができるので、水産動植物の所望の水深に於けるリリースの確実性の向上を図ることが可能になる。
【００２１】
本発明の水産動植物のリリース方法及び水産動植物のリリース装置は、回動制御部の下端部が水底や岩礁に当接することによって回動制御部が移動するようにした場合には、水底や岩礁に着底・着地した時に開口を開放して水産動植物を収容部の外部へとリリースすることができるので、水底や所定の岩礁等をターゲットとするリリースの確実性の向上を図ることが可能になる。
【図面の簡単な説明】
【００２２】
【図１】本発明に係る水産動植物のリリース装置の実施形態の例としての第一の実施形態を示す正面上方斜視図である。
【図２】第一の実施形態の側面図である。
【図３】本発明に係る水産動植物のリリース装置の実施形態の例としての第二の実施形態を示す正面上方斜視図である。
【図４】第二の実施形態の側面図である。
【発明を実施するための形態】
【００２３】
以下、本発明の構成を図面に示す実施の形態の一例に基づいて詳細に説明する。
【００２４】
本発明に係る水産動植物のリリース方法及び水産動植物のリリース装置は、例えば生態調査などのために捕獲・採取したり釣り上げたりした水産動物を放流する際に当該の水産動物を捕獲・採取などした水深に於いて放流するために用いられたり、例えば水産植物の創生や再生のために水産植物を所定の水深の所定の場所へと撒布するために用いられたりするものである。
【００２５】
本発明が適用される水産動物としては、例えば、浮袋を有して水深２０ ｍ よりも深い所に棲息する魚（「根魚」や「根付魚」と呼ばれる；具体的には、メバル，カサゴなど）が主として想定される。しかしながら、本発明が適用される水産動物は根魚の類いに限定されるものではなく、所定の水深へと戻して放すことが必要とされたり望まれたりする種々の水産動物を対象として本発明は適用され得る。本発明は、また、所定の水深の所定の場所を特定して撒くことが必要とされたり望まれたりする種々の海藻などの水産植物を対象としても適用され得る。
【００２６】
なお、本発明の説明では、水産動物を放流したり水産植物を撒布したりすることを「水産動植物のリリース」と言う。
【００２７】
図１及び図２に、本発明に係る水産動植物のリリース方法及び水産動植物のリリース装置の実施形態の例としての第一の実施形態を示す。なお、図１及び図２は、本発明に係る水産動植物のリリース装置の構成の概要を説明するためのあくまでも概念図・模式図であり、具体詳細な形態・構造や各部相互・部材相互の寸法関係などを厳密に表したり規定したりするものではない。
【００２８】
第一の実施形態の水産動植物のリリース方法は、開口としての開放部１１ｃを有する収容部１１と開放部１１ｃに宛がわれる蓋部１２とを備える容器１０を吊下げ部材２に取り付けると共に蓋部１２と係合する弾性紐部材２３及び回動部材２１ａを備え付けて水中へと下降させ、弾性紐部材２３が引っ掛けられる位置から外れる位置へと回動部材２１ａを水中に於いて回動させて蓋部１２の拘束力を解放するようにしている。
【００２９】
第一の実施形態の水産動植物のリリース方法は、特に、中空部１１ｂ及び当該中空部１１ｂを外部と連通させる開口としての開放部１１ｃを有する収容部１１と開放部１１ｃに宛がわれて開放部１１ｃを塞ぐ蓋部１２とを備える容器１０を、紐状をなして下端に錘３が取り付けられると共に水中へと垂下する吊下げ部材２に固定して取り付け、蓋部１２と係合すると共に張力が発生している状態では蓋部１２を開放部１１ｃへと押し当てて固定する弾性紐部材２３，棒状をなして回動すると共に張力が発生している状態の弾性紐部材２３が引っ掛けられ且つ回動が許容される状態では弾性紐部材２３が外れる回動部材２１ａ，及び回動部材２１ａを保持する位置から解放する位置へと吊下げ部材２に沿って移動する回動制御部２２と共に水中へと下降させ、水中に於いて回動制御部２２を吊下げ部材２に沿って移動させて、回動部材２１ａが保持されて当該回動部材２１ａの回動が禁止されている状態から回動部材２１ａが解放されて当該回動部材２１ａの回動が許容される状態へと切り換えるようにしていると共に、吊下げ部材２に沿って降下部材４を投下し、当該降下部材４を当接させることによって回動制御部２２を吊下げ部材２に沿って移動させるようにしている。
【００３０】
また、第一の実施形態の水産動植物のリリース装置１は、吊下げ部材２と、当該吊下げ部材２に取り付けられると共に開口としての開放部１１ｃを有する収容部１１と、当該収容部１１の開放部１１ｃに宛がわれる蓋部１２と、当該蓋部１２と係合する弾性紐部材２３と、当該弾性紐部材２３が引っ掛けられたり外れたりする回動部材２１ａとを有し、弾性紐部材２３が引っ掛けられる位置から外れる位置へと回動部材２１ａが水中に於いて回動して蓋部１２の拘束力を解放するようにしている。
【００３１】
第一の実施形態の水産動植物のリリース装置１は、特に、紐状をなして下端に錘３が取り付けられると共に水中へと垂下する吊下げ部材２と、当該吊下げ部材２に固定して取り付けられると共に中空部１１ｂ及び当該中空部１１ｂを外部と連通させる開口としての開放部１１ｃを有する収容部１１と、当該収容部１１の開放部１１ｃに宛がわれて開放部１１ｃを塞ぐ蓋部１２と、当該蓋部１２と係合すると共に張力が発生している状態では蓋部１２を開放部１１ｃへと押し当てて固定する弾性紐部材２３と、棒状をなして回動すると共に張力が発生している状態の弾性紐部材２３が引っ掛けられ且つ回動が許容される状態では弾性紐部材２３が外れる回動部材２１ａと、当該回動部材２１ａを保持して当該回動部材２１ａの回動を禁止する位置から回動部材２１ａを解放して当該回動部材２１ａの回動を許容する位置へと吊下げ部材２に沿って移動する回動制御部２２とを有するようにしていると共に、吊下げ部材２に沿って下降して回動制御部２２へと当接して当該回動制御部２２を吊下げ部材２に沿って移動させる降下部材４を有するようにしている。
【００３２】
水産動植物のリリース装置１は、吊下げ部材２と、当該吊下げ部材２の下端に取り付けられる錘３と、吊下げ部材２に沿って下降可能に備え付けられる降下部材４と、吊下げ部材２に対して取り付けられると共に水産動植物を収容するための容器１０と、当該容器１０の開閉を制御する開閉機構２０とを有する。
【００３３】
吊下げ部材２は、上端側が水上で保持され、下端寄りの位置（即ち、錘３寄りの位置）に取り付けられる容器１０のリード／引きひもとして機能し、また、当該吊下げ部材２の水上からの繰り出し量によって容器１０が位置する水深を測るためのメジャーとして機能する。
【００３４】
吊下げ部材２としては、具体的には例えば、ロープが用いられ得る。
【００３５】
錘３は、吊下げ部材２の下端部が結わえ付けられて当該吊下げ部材２の下端に取り付けられ、容器１０を速やかに水中を下降させる（言い換えると、沈子として機能する）と共に、吊下げ部材２を水中に於いて鉛直方向若しくは概ね鉛直方向に沿って垂下させ且つ容器１０の水中に於ける姿勢を安定させるためのものである。
【００３６】
ここで、本発明の説明では、各図における吊下げ部材２に沿う方向（別言すると、吊下げ部材２の長手方向）が鉛直方向であるとし、吊下げ部材２と直交する方向（別言すると、吊下げ部材２の長手方向と直交する方向）が水平方向であるとする。また、吊下げ部材２に沿って錘３が在る方が下向き／下側であるとし、反対が上向き／上側であるとする。
【００３７】
容器１０は、リリースする水産動植物を収容するための容れ物であり、吊下げ部材２の下端に取り付けられる錘３のやや上方に取り付けられる。
【００３８】
容器１０は、収容部１１，蓋部１２，及び取付部１３を有する。
【００３９】
収容部１１は、水産動植物を収容するための中空部１１ｂを区画する容器壁１１ａと、中空部１１ｂと外部とを連通させるために容器壁１１ａの開口として設けられる開放部１１ｃとを有する。
【００４０】
収容部１１は、両端開口の中空円筒状に形成される。そして、円筒の周壁が容器壁１１ａを構成すると共に円筒の内部空間が中空部１１ｂを構成し、円筒中心軸方向における両端の開口が開放部１１ｃ，１１ｃとして機能する。
【００４１】
収容部１１の形態は、円筒状に限定されるものではなく、角筒状であっても良く、或いは、截頭錐体状（具体的には例えば、円錐台状，角錐台状）であっても良い。
【００４２】
収容部１１の大きさは、特定の寸法に限定されるものではなく、例えば中空部１１ｂに収容されて所定の水深や場所へとリリースされる水産動植物の大きさが考慮されるなどした上で、適当な寸法に適宜設定される。あくまで一例として挙げると、図に示す例のように収容部１１が円筒状である場合には、円筒中心軸方向の長さが２０〜４０ ｃｍ 程度の範囲で設定され、また、円筒中心軸方向と直交する断面の円の直径が１５〜２０ ｃｍ 程度の範囲で設定されることが考えられる。
【００４３】
収容部１１（具体的には、容器壁１１ａ）の材質は、特定の材質に限定されるものではなく、例えば収容部１１（容器壁１１ａ）としての形状・形態を維持し得る程度の強度を備えることが考慮されるなどした上で、適当な材質が適宜選択される。
【００４４】
容器壁１１ａは、透水性・浸水性を備えるものであっても備えないものであってもどちらでも良い。容器壁１１ａは、例えば、板状や膜状の部材によって構成されるようにしても良く、骨格を形成する部材と網状やメッシュ状の部材との組み合わせによって構成されるようにしても良く、或いは、格子状に形作られるようにしても良く、また、前記したものの組み合わせによって構成されるようにしても良い。
【００４５】
水産動植物のリリース装置１は、吊下げ部材２の下端に取り付けられた錘３の重みによって吊下げ部材２が鉛直方向若しくは概ね鉛直方向に沿って水中に垂下し、容器１０の収容部１１の円筒中心軸方向が吊下げ部材２の垂下方向（即ち、鉛直方向若しくは概ね鉛直方向に沿う姿勢）に沿う姿勢で水中に配置される。
【００４６】
円筒状の周壁である容器壁１１ａの外周面の、円筒中心軸方向の上端寄りの位置（言い換えると、上端側の開放部１１ｃ寄りの位置）と下端寄りの位置（言い換えると、下端側の開放部１１ｃ寄りの位置）とのそれぞれに、収容部１１を吊下げ部材２へと取り付けるための取付部１３（具体的には、上側取付部１３Ａ，下側取付部１３Ｂ）が設けられる。
【００４７】
収容部１１は、取付部１３（具体的には、上側取付部１３Ａ，下側取付部１３Ｂ）により、吊下げ部材２に対し、当該吊下げ部材２に対する位置が固定されるように取り付けられる。
【００４８】
上側取付部１３Ａ及び下側取付部１３Ｂは、それぞれ、容器壁１１ａの外周面から水平方向に延出して設けられる。上側取付部１３Ａと下側取付部１３Ｂとは、延出方向が相互に平行になるように（言い換えると、平面視において重なるように）設けられる。
【００４９】
上側取付部１３Ａの延出した側の先端部分（即ち、容器壁１１ａとは反対側の端部）に、上向きに延出する突支い部１３ｃが設けられる。
【００５０】
突支い部１３ｃを含む上側取付部１３Ａに、当該突支い部１３ｃを含む上側取付部１３Ａを鉛直方向に貫通する貫通孔１３ｄが形成される。
【００５１】
また、下側取付部１３Ｂに、当該下側取付部１３Ｂの先端寄りの位置（即ち、容器壁１１ａとは反対側の端寄りの位置）を鉛直方向に貫通する貫通孔１３ｅが形成される。
【００５２】
上側取付部１３Ａの貫通孔１３ｄと下側取付部１３Ｂの貫通孔１３ｅとは、それぞれの貫通方向軸心の位置が鉛直方向において一致するように（言い換えると、貫通開口の位置が平面視において一致するように）設けられる。
【００５３】
貫通方向軸心の位置が鉛直方向において一致している上側取付部１３Ａの貫通孔１３ｄ及び下側取付部１３Ｂの貫通孔１３ｅを吊下げ部材２が貫通することにより、水産動植物のリリース装置１は、収容部１１の円筒中心軸方向が吊下げ部材２の垂下方向（即ち、鉛直方向若しくは概ね鉛直方向）に沿う姿勢で水中に配置される。
【００５４】
蓋部１２は、収容部１１の開放部１１ｃに対し、当該開放部１１ｃを塞いだり開放したりすることができるものとして備えられる。
【００５５】
蓋部１２として、図に示す例では、収容部１１の上側の開放部１１ｃ（即ち、容器壁１１ａの上端開口）を塞いだり開放したりする上側蓋部１２Ａと、収容部１１の下側の開放部１１ｃ（即ち、容器壁１１ａの下端開口）を塞いだり開放したりする下側蓋部１２Ｂとが備えられる。
【００５６】
蓋部１２の材質は、特定の材質に限定されるものではなく、例えば重過ぎると容器壁１１ａの上端開口に位置したまま動かないので開放部１１ｃの開放に支障が生じてしまうことや蓋部１２としての形状・形態を維持し得る程度の強度を備えることが考慮されるなどした上で、適当な材質が適宜選択される。
【００５７】
上側蓋部１２Ａと下側蓋部１２Ｂとは、どちらも、平面視において円形の板状（別言すると、円盤状）に形成され、板面に平行な方向において直径方向に（言い換えると、任意の直径位置に於いて）円形板を貫通する貫通孔１２ｃが形成される。
【００５８】
開閉機構２０は、容器１０の上側蓋部１２Ａと下側蓋部１２Ｂとによる収容部１１の開放部１１ｃ，１１ｃの閉塞状態を保持すると共に閉塞状態から開放状態への移行を制御する仕組みであり、回動部２１，回動制御部２２，及び弾性紐部材２３を有する。
【００５９】
回動部２１は、棒状の回動部材２１ａと、当該回動部材２１ａを回動可能（言い換えると、回転可能）に支持する回動軸２１ｂとを有する。
【００６０】
回動部材２１ａの長手中心軸方向における中間位置に、長手中心軸方向と直交する方向の貫通孔２１ｃが形成される。
【００６１】
回動部材２１ａは、貫通孔２１ｃを貫通すると共に水平方向に沿って配設される回動軸２１ｂにより、容器１０の上側取付部１３Ａへと回動可能／回転可能に取り付けられる。
【００６２】
回動軸２１ｂを貫通させるワッシャ２１ｄが上側取付部１３Ａと回動部材２１ａとの間に配設され、これら上側取付部１３Ａと回動部材２１ａとの間に間隙が設けられる。
【００６３】
回動軸２１ｂとしては、具体的には例えば、頭部，当該頭部寄りの円筒部，及び当該円筒部の先端から連接して設けられるねじ部を有する半ねじボルトが用いられ得る。この場合は、回動部材２１ａとワッシャ２１ｄとを貫通・通過してねじ部が上側取付部１３Ａへとねじ込まれ、円筒部が回動部材２１ａの貫通孔２１ｃを摺動可能に貫通し（言い換えると、円筒部が回動部材２１ａの貫通孔２１ｃ部分に位置し）、ワッシャ２１ｄと頭部とに挟まれつつ回動可能／回転可能に、回動部材２１ａが回動軸２１ｂとしての半ねじボルトによって上側取付部１３Ａへと取り付けられる。
【００６４】
なお、回動部２１の備え付けの態様は、回動軸２１ｂの位置が回動制御部２２の上下動と連動することがない一方で吊下げ部材２及び当該吊下げ部材２に対して固定して取り付けられる容器１０との相対位置が変化しないように固定されるのであれば、上側取付部１３Ａへと取り付けられることに限定されるものではなく、他の箇所・部位に取り付けられるようにしたり他の構造を介在させて取り付けられるようにしたりしても良い。
【００６５】
回動制御部２２は、上端の当接押下げ部２２ａと、下端の回動部材保持部２２ｂと、これら当接押下げ部２２ａと回動部材保持部２２ｂとを連結する細板状の連結部２２ｃとを有し、吊下げ部材２に沿って上下動可能であるように備えられる。
【００６６】
上端の当接押下げ部２２ａは、円形の板状に形成され、板面と直交する方向の貫通孔２２ｄが板面の中心位置に設けられる。
【００６７】
当接押下げ部２２ａは、貫通孔２２ｄに吊下げ部材２を貫通させると共に、板面が水平方向／水平面に沿うように配設され、上側取付部１３Ａの突支い部１３ｃの上方に配置される。
【００６８】
下端の回動部材保持部２２ｂは、輪の内側に回動部材２１ａが貫通し得る程度（言い換えると、回動部材２１ａの長手中心軸方向と直交する断面の大きさと比べて極端には大きくない程度）の環状に形成される。
【００６９】
回動部材保持部２２ｂは、輪としての円形面が水平方向／水平面に沿うように配設され、上側取付部１３Ａの下方に配置される。
【００７０】
連結部２２ｃは、当接押下げ部２２ａの下面のうちの、当該当接押下げ部２２ａが上側取付部１３Ａの突支い部１３ｃの上方に配置された状態における、回動部材２１ａが配置されている側とは反対側の端寄りの位置から、突支い部１３ｃを含む上側取付部１３Ａを避けて（言い換えると、突支い部１３ｃを含む上側取付部１３Ａの近傍を）鉛直方向に上側取付部１３Ａの下方の位置まで延出する。
【００７１】
連結部２２ｃは、鉛直方向に延出した下端において上側取付部１３Ａの側（言い換えると、上側取付部１３Ａの真下の方）へと向かって水平方向に屈曲し、屈曲した側の先端が回動部材保持部２２ｂの側面へと連結する。
【００７２】
連結部２２ｃの下端の、屈曲して水平方向に延出した部分に鉛直方向の貫通孔２２ｅが設けられ、当該貫通孔２２ｅを吊下げ部材２が貫通する。
【００７３】
なお、回動制御部２２の具体的な態様は、図に示す例に限定されるものではなく、上側取付部１３Ａの突支い部１３ｃの上方に配置される当接部，上側取付部１３Ａの下方に配置される環状部（更に言えば、回動部材２１ａの回動を制止し得る形状であればどのような形状であっても良い），これら当接部及び環状部を連結する部位，並びに吊下げ部材２と係合する部位を有するものであれば、どのような構造・形状であっても良い。
【００７４】
弾性紐部材２３は、弾性を備える紐状の部材によって構成される。弾性紐部材２３としては、具体的には例えばゴムロープが用いられ得る。
【００７５】
弾性紐部材２３の一方の端部は、下側取付部１３Ｂに設けられた弾性紐部材固定部１３ｆに結わえ付けられて固定される。弾性紐部材２３の一方の端部の固定の仕方は、当該一方の端部が収容部１１または吊下げ部材２に対して固定される方法であれば他の仕組みでも良い。
【００７６】
弾性紐部材２３は、その上で、下側蓋部１２Ｂの貫通孔１２ｃを貫通すると共に上側蓋部１２Ａの貫通孔１２ｃを貫通する。
【００７７】
弾性紐部材２３の他方の端部、すなわち、上側蓋部１２Ａの貫通孔１２ｃを貫通する側の端部は、環状に形成される。
【００７８】
弾性紐部材２３は、つまり、一方の端部が下側取付部１３Ｂへと取り付けられ、下側蓋部１２Ｂの貫通孔１２ｃを貫通し、さらに上側蓋部１２Ａの貫通孔１２ｃを貫通し、他方の端部が環状に形成される。
【００７９】
弾性紐部材２３のうちの、上側蓋部１２Ａの貫通孔１２ｃを貫通する側（言い換えると、貫通孔１２ｃを通り抜けて外に出ている側）の環状に形成される端部のことを「回動部材係止部２３ａ」と呼ぶ。
【００８０】
降下部材４は、開閉機構２０を作動させる際のトリガーとして働くものであり、錘３の重みによって水中に於いて鉛直方向若しくは概ね鉛直方向に沿って垂下している吊下げ部材２に沿って下降可能であるように吊下げ部材２に対して装着される。
【００８１】
ここで、本発明の説明における「概ね鉛直方向」とは、降下部材４が吊下げ部材２に沿って下降し得る程度に鉛直に近い方向であることを指すとも言える。
【００８２】
降下部材４は、吊下げ部材２に沿って下降し得るように、言い換えると、吊下げ部材２に係合しつつ吊下げ部材２に対して移動可能であるように、例えば、吊下げ部材２を貫通させるための貫通孔を有するものとして構成されたり、或いは、吊下げ部材２を貫通させる環状部材や環状部分を備えるものとして構成されたりする。
【００８３】
降下部材４は、また、水上で保持される吊下げ部材２の上端側から放たれて自重で水中を下降し、吊下げ部材２の下端寄りの位置（即ち、錘３寄りの位置）に取り付けられている容器１０に対して備えられている開閉機構２０の回動制御部２２の当接押下げ部２２ａへと突き当たり、さらに押し込んで回動制御部２２全体を押し下げ得る程度の重さを少なくとも備えるものとして構成される。
【００８４】
図に示す例では、降下部材４は、溝付き型の分銅の形態に形成された二つの部材４Ａ，４Ｂが相互に回転可能に連結されて構成される。これら二つの部材４Ａ，４Ｂは、図示していないが、内部構造として、相互に摺動可能且つ回動可能に連結される構造を有する。
【００８５】
図に示す例の降下部材４は、一方の部材４Ａの溝４ｃと他方の部材４Ｂの溝４ｃとの位置が合うように二つの部材４Ａ，４Ｂが相互に回転させられ、二つの部材４Ａ，４Ｂそれぞれの溝４ｃの位置が合った状態で当該溝４ｃ内へと吊下げ部材２を入り込ませ、その上で二つの部材４Ａ，４Ｂそれぞれの溝４ｃの位置がずれるように二つの部材４Ａ，４Ｂが相互に回転させられることによって吊下げ部材２へと装着される。
【００８６】
上述した水産動植物のリリース装置１（第一の実施形態）の動作を以下に説明する。
【００８７】
ここでは、水産動植物のリリース装置１が用いられての水産動植物のリリースに関する操作が海上や湖上に碇泊している船上で行われる場合を想定して説明する。
【００８８】
回動部材２１ａの長手中心軸方向が上側取付部１３Ａの突支い部１３ｃの中心軸方向に沿う（尚、吊下げ部材２の長手方向や連結部２２ｃの長手方向にも沿い、また、容器１０の収容部１１の円筒中心軸方向にも沿う）ように回動させられ、両者の中心軸方向が揃った状態で回動部材保持部２２ｂの輪の内側に回動部材２１ａの下端部分が入り込んで嵌まるように回動制御部２２が引き上げられる。そして、回動制御部２２は、回動部材２１ａを保持する位置になる。この状態では、回動部材２１ａは、回動が禁止される。
【００８９】
回動部材保持部２２ｂの輪の内側に回動部材２１ａの下端部分が嵌まった状態で、回動制御部２２が、吊下げ部材２に対し、容易には動かないものの降下部材４が下降して突き当たったときは押し下げられ得る程度に固定されるようにしても良い（但し、必要に応じて為されれば良く、必須の細工ではない）。
【００９０】
具体的には例えば、当接押下げ部２２ａに形成されている貫通孔２２ｄの内べりと当該貫通孔２２ｄを貫通している吊下げ部材２の外周面との間に、楔形の小木片の先端部分が上側から差し込まれることにより、吊下げ部材２に対する回動制御部２２の位置が固定されるようにしても良い。
【００９１】
収容部１１の中空部１１ｂへと水産動植物が入れられる。この際、必要に応じ、収容部１１の中空部１１ｂへと海水／淡水も一緒に入れられる。
【００９２】
収容部１１の二つの開放部１１ｃ，１１ｃ（即ち、容器壁１１ａの二つの開口端）に上側蓋部１２Ａと下側蓋部１２Ｂとがそれぞれ当てられる（別言すると、宛がわれる）。
【００９３】
弾性紐部材２３の一方の端部（図に示す例では、上側蓋部１２Ａの貫通孔１２ｃを通り抜けて外に出ている端部）に形成されている回動部材係止部２３ａが、回動部材２１ａの上端部に引っ掛けられる。
【００９４】
これにより、弾性紐部材２３の張力によって上側蓋部１２Ａ及び下側蓋部１２Ｂが収容部１１の二つの開放部１１ｃ，１１ｃ（即ち、容器壁１１ａの二つの開口端）を塞いだ状態で固定される。
【００９５】
なお、弾性紐部材２３は一端が下側取付部１３Ｂに設けられた弾性紐部材固定部１３ｆに結わえ付けられて固定され且つ張力（別言すると、収縮しようとする力）が発生している状態で他端が上側取付部１３Ａに取り付けられている回動部材２１ａに引っ掛けられているところ、回動部材２１ａは回動部材保持部２２ｂによって回動が禁止されている。このため、収容部１１の下側に於いて固定された上で下側蓋部１２Ｂと係合すると共に容器壁１１ａに沿って上側へと至って上側蓋部１２Ａと係合して回動部材２１ａへと引っ掛けられる弾性紐部材２３の張力／収縮力により、上側蓋部１２Ａ及び下側蓋部１２Ｂが収容部１１の二つの開放部１１ｃ，１１ｃへと押し当てられ押し付けられて装着された状態が維持される。
【００９６】
このとき、弾性紐部材２３の張力／収縮力により、回動部材２１ａを回動させようとする力が働いており、回動部材２１ａの下端部分（のうちの一部）が回動部材保持部２２ｂの内べりへと押し付けられている。このため、回動制御部２２は吊下げ部材２に対して容易には動かない程度には固定されている（このことから、上述の、例えば楔形の小木片などによる、吊下げ部材２に対する回動制御部２２の位置の固定の細工は必須ではない）。なお、弾性紐部材２３の張力／収縮力が強過ぎると回動部材保持部２２ｂの内べりへの回動部材２１ａの押し付けの力が強くなり、結果として回動制御部２２が過度に動き難くなってしまうので、吊下げ部材２に対する回動制御部２２の移動が必要以上に阻害されないように、弾性紐部材２３の張力／収縮力が調整される。
【００９７】
上述の状態のまま、錘３並びに容器１０及び開閉機構２０が船上から海や湖へと（静かに）投下される。錘３並びに容器１０及び開閉機構２０は、錘３が下端に位置した状態で水中を下降する。この際、吊下げ部材２の、錘３とは反対側の端部は船上に保持される。
【００９８】
錘３が水底（具体的には、海底や湖底）や所定の岩礁などに着底・着地等するまで、または、容器１０が所望の水深へと到達するまで、吊下げ部材２が船上から徐々に繰り出される。容器１０の水深は、吊下げ部材２の繰り出し長が計測されることによって測られる。
【００９９】
錘３が水底や岩礁などに着底・着地等したり容器１０が所望の水深へと到達したりしたら、吊下げ部材２に対して下降可能に装着された降下部材４が船上から放たれる。降下部材４は、吊下げ部材２に沿って、自重によって水中を下降する。
【０１００】
降下部材４が、回動制御部２２の当接押下げ部２２ａへと到達して突き当たり（この時、例えば楔形の小木片などによる、吊下げ部材２に対する回動制御部２２の位置の固定の細工が施されている場合にはその固定が解除される）、さらに押し込んで回動制御部２２全体を押し下げる。
【０１０１】
回動制御部２２が押し下げられることにより、回動部材保持部２２ｂが下向きに移動して回動部材２１ａから外れ（言い換えると、回動部材保持部２２ｂの輪の内側から回動部材２１ａが抜け）、回動制御部２２は回動部材２１ａを解放する位置になり、回動部材２１ａが回動可能になる。
【０１０２】
回動部材２１ａが回動可能になると、弾性紐部材２３の張力／収縮力によって引っ張られて回動部材２１ａの上端側が上側蓋部１２Ａ側へと回動し、回動部材２１ａの上端部に引っ掛けられていた回動部材係止部２３ａが回動部材２１ａから外れる。
【０１０３】
回動部材係止部２３ａが自由になると上側蓋部１２Ａ及び下側蓋部１２Ｂの拘束力も解放され、弾性紐部材２３の張力／収縮力の働きもあって上側蓋部１２Ａ及び下側蓋部１２Ｂが収容部１１の開放部１１ｃ，１１ｃから離れる。
【０１０４】
この際、降下部材４は、回動部材保持部２２ｂが回動部材２１ａから外れる程度に回動制御部２２を押し下げた後に当接押下げ部２２ａが突支い部１３ｃへと突き当たることにより、下降が停止する。これにより、上側蓋部１２Ａが収容部１１の開放部１１ｃから離れる際に降下部材４が邪魔になってしまうことが防止される。言い換えると、上側蓋部１２Ａが収容部１１の開放部１１ｃから離れる際に降下部材４が邪魔になることがないように、降下部材４の下降が停止する位置として突支い部１３ｃの鉛直方向の寸法が調節される。
【０１０５】
また、下側蓋部１２Ｂが収容部１１の開放部１１ｃから離れる際に錘３が邪魔になることがないように、錘３の形状が調整されたり、収容部１１の下端と錘３との間の寸法（具体的には、吊下げ部材２への容器１０の取付け位置）が調節されたりする。
【０１０６】
そして、上側蓋部１２Ａ及び下側蓋部１２Ｂが収容部１１の開放部１１ｃ，１１ｃから離れることにより、収容部１１が開放されて中空部１１ｂに収容されている水産動植物がリリースされる。
【０１０７】
次に、図３及び図４を用いて、本発明に係る水産動植物のリリース方法及び水産動植物のリリース装置の実施形態の例としての第二の実施形態について説明する。なお、図３及び図４は、本発明に係る水産動植物のリリース装置の構成の概要を説明するためのあくまでも概念図・模式図であり、具体詳細な形態・構造や各部相互・部材相互の寸法関係などを厳密に表したり規定したりするものではない。また、以下に説明する第二の実施形態において上述の第一の実施形態と同様の構成要素については、同一符号を付してその詳細な説明を省略する。
【０１０８】
第二の実施形態の水産動植物のリリース方法は、開口としての開放部１１ｃを有する収容部１１と開放部１１ｃに宛がわれる蓋部１２とを備える容器１０を吊下げ部材２に取り付けると共に蓋部１２と係合する弾性紐部材２３及び回動部材２１ａを備え付けて水中へと下降させ、弾性紐部材２３が引っ掛けられる位置から外れる位置へと回動部材２１ａを水中に於いて回動させて蓋部１２の拘束力を解放するようにしている。
【０１０９】
第二の実施形態の水産動植物のリリース方法は、特に、中空部１１ｂ及び当該中空部１１ｂを外部と連通させる開口としての開放部１１ｃを有する収容部１１と開放部１１ｃに宛がわれて開放部１１ｃを塞ぐ蓋部１２とを備える容器１０を、紐状をなして下端に錘３が取り付けられると共に水中へと垂下する吊下げ部材２に固定して取り付け、蓋部１２と係合すると共に張力が発生している状態では蓋部１２を開放部１１ｃへと押し当てて固定する弾性紐部材２３，棒状をなして回動すると共に張力が発生している状態の弾性紐部材２３が引っ掛けられ且つ回動が許容される状態では弾性紐部材２３が外れる回動部材２１ａ，及び回動部材２１ａを保持する位置から解放する位置へと吊下げ部材２に沿って移動する回動制御部２２と共に水中へと下降させ、水中に於いて回動制御部２２を吊下げ部材２に沿って移動させて、回動部材２１ａが保持されて当該回動部材２１ａの回動が禁止されている状態から回動部材２１ａが解放されて当該回動部材２１ａの回動が許容される状態へと切り換えるようにしていると共に、回動制御部２２の下端部を錘３よりも下方まで延出するものとして設け、回動制御部２２の下端部を水底又は岩礁に当接させることによって回動制御部２２を吊下げ部材２に沿って移動させるようにしている。
【０１１０】
また、第二の実施形態の水産動植物のリリース装置１は、吊下げ部材２と、当該吊下げ部材２に取り付けられると共に開口としての開放部１１ｃを有する収容部１１と、当該収容部１１の開放部１１ｃに宛がわれる蓋部１２と、当該蓋部１２と係合する弾性紐部材２３と、当該弾性紐部材２３が引っ掛けられたり外れたりする回動部材２１ａとを有し、弾性紐部材２３が引っ掛けられる位置から外れる位置へと回動部材２１ａが水中に於いて回動して蓋部１２の拘束力を解放するようにしている。
【０１１１】
第二の実施形態の水産動植物のリリース装置１は、特に、紐状をなして下端に錘３が取り付けられると共に水中へと垂下する吊下げ部材２と、当該吊下げ部材２に固定して取り付けられると共に中空部１１ｂ及び当該中空部１１ｂを外部と連通させる開口としての開放部１１ｃを有する収容部１１と、当該収容部１１の開放部１１ｃに宛がわれて開放部１１ｃを塞ぐ蓋部１２と、当該蓋部１２と係合すると共に張力が発生している状態では蓋部１２を開放部１１ｃへと押し当てて固定する弾性紐部材２３と、棒状をなして回動すると共に張力が発生している状態の弾性紐部材２３が引っ掛けられ且つ回動が許容される状態では弾性紐部材２３が外れる回動部材２１ａと、当該回動部材２１ａを保持して当該回動部材２１ａの回動を禁止する位置から回動部材２１ａを解放して当該回動部材２１ａの回動を許容する位置へと吊下げ部材２に沿って移動する回動制御部２２とを有するようにしていると共に、回動制御部２２が、下端部が錘３よりも下方まで延出するものとして設けられ、回動制御部２２の下端部が水底又は岩礁に当接することによって回動制御部２２が吊下げ部材２に沿って移動するようにしている。
【０１１２】
第一の実施形態と第二の実施形態とで大きく異なる点として、第二の実施形態では降下部材４は用いられない。
【０１１３】
開閉機構２０の回動部２１については、第一の実施形態と同様である。ただし、第二の実施形態では、上側取付部１３Ａに突支い部１３ｃは設けられない。
【０１１４】
一方、回動制御部２２については、細板状の連結部２２ｃを介在させて、上端に回動部材保持部２２ｂが配設され、下端には水底当接部２２ｉが配設され、さらに、これら回動部材保持部２２ｂと水底当接部２２ｉとの間に係合部２２ｇが配設される。回動制御部２２は、吊下げ部材２に沿って上下動可能であるように備えられる。
【０１１５】
回動部材保持部２２ｂ自体の形態は第一の実施形態における回動部材保持部２２ｂと同様である。
【０１１６】
上端の回動部材保持部２２ｂは、輪としての円形面が水平方向／水平面に沿うように配設され、上側取付部１３Ａの上方に配置される。
【０１１７】
連結部２２ｃは、回動部材保持部２２ｂの側面のうちの、当該回動部材保持部２２ｂが上側取付部１３Ａの上方に配置された状態における、回動部材２１ａが配置されている側とは反対側の位置から、回動部材２１ａが配置されている側とは反対向きに水平方向に延出すると共に延出した先端から鉛直方向へと屈曲し、上側取付部１３Ａ及び下側取付部１３Ｂを避けて（言い換えると、上側取付部１３Ａ及び下側取付部１３Ｂの近傍を）鉛直方向に下側取付部１３Ｂの下方の位置まで延出し、さらに錘３の下方の位置まで延出する。
【０１１８】
連結部２２ｃの上端の、回動部材保持部２２ｂの側面から水平方向に延出した部分に鉛直方向の貫通孔２２ｅが設けられ、当該貫通孔２２ｅを吊下げ部材２が貫通する。
【０１１９】
連結部２２ｃの中間に設けられる係合部２２ｇは、連結部２２ｃから吊下げ部材２へと向けて水平方向に延出する板状の突出部として形成される。係合部２２ｇに、板面と直交する方向（即ち、鉛直方向）の貫通孔２２ｈが設けられ、当該貫通孔２２ｈを吊下げ部材２が貫通する。
【０１２０】
図に示す例では、連結部２２ｃは、係合部２２ｇの位置に於いて吊下げ部材２が在る側とは反対向きに水平方向に屈曲して延出すると共に延出した先端から鉛直方向へと屈曲し、錘３を避けて（言い換えると、錘３の近傍を）鉛直方向に錘３の下方の位置まで延出する。
【０１２１】
連結部２２ｃは、鉛直方向に延出した下端において錘３の側（言い換えると、錘３の真下の方）へと向かって水平方向に屈曲し、この水平方向に屈曲した部分が水底当接部２２ｉとして機能する。
【０１２２】
すなわち、下端の水底当接部２２ｉは、板面が水平方向／水平面に沿うように配設され、錘３の下方に配置される。
【０１２３】
なお、回動制御部２２の具体的な態様は、図に示す例に限定されるものではなく、上側取付部１３Ａの上方に配置される環状部（更に言えば、回動部材２１ａの回動を制止し得る形状であればどのような形状であっても良い），錘３の下方に配置される当接部，これら環状部及び当接部を連結する部位，並びに吊下げ部材２と係合する部位を有するものであれば、どのような構造・形状であっても良い。
【０１２４】
上述した水産動植物のリリース装置１（第二の実施形態）の動作を以下に説明する。
【０１２５】
ここでは、水産動植物のリリース装置１が用いられての水産動植物のリリースに関する操作が海上や湖上に碇泊している船上で行われる場合を想定して説明する。
【０１２６】
収容部１１の中空部１１ｂへと水産動植物が入れられる。この際、必要に応じ、収容部１１の中空部１１ｂへと海水／淡水も一緒に入れられる。
【０１２７】
収容部１１の二つの開放部１１ｃ，１１ｃ（即ち、容器壁１１ａの二つの開口端）に上側蓋部１２Ａと下側蓋部１２Ｂとがそれぞれ当てられる（別言すると、宛がわれる）。
【０１２８】
回動部材２１ａの長手中心軸方向が吊下げ部材２の長手方向に沿う（尚、連結部２２ｃの長手方向にも沿い、また、容器１０の収容部１１の円筒中心軸方向にも沿う）ように回動させられ、両者の長手方向が揃った状態で、弾性紐部材２３の一方の端部（図に示す例では、上側蓋部１２Ａの貫通孔１２ｃを通り抜けて外に出ている端部）に形成されている回動部材係止部２３ａが、回動部材２１ａの上端部に引っ掛けられる。
【０１２９】
回動部材２１ａの上端部に回動部材係止部２３ａが引っ掛けられたままの状態で、回動部材保持部２２ｂの輪の内側に回動部材２１ａの上端部分が入り込んで嵌まるように回動制御部２２が引き下げられる。そして、回動制御部２２は、回動部材２１ａを保持する位置になる。この状態では、回動部材２１ａは、回動が禁止される。
【０１３０】
回動部材保持部２２ｂの輪の内側に回動部材２１ａの上端部分が嵌まった状態で、回動制御部２２が、吊下げ部材２に対し、容易には動かないものの水底当接部２２ｉが着底・着地等した一方で錘３及び吊下げ部材２と共に容器１０が下降するときは押し上げられ得る程度に固定されるようにしても良い（但し、必要に応じて為されれば良く、必須の細工ではない）。
【０１３１】
具体的には例えば、係合部２２ｇに形成されている貫通孔２２ｈの内べりと当該貫通孔２２ｈを貫通している吊下げ部材２の外周面との間に、楔形の小木片の先端部分が下側から差し込まれることにより、吊下げ部材２に対する回動制御部２２の位置が固定されるようにしても良い。
【０１３２】
これにより、弾性紐部材２３の張力によって上側蓋部１２Ａ及び下側蓋部１２Ｂが収容部１１の二つの開放部１１ｃ，１１ｃ（即ち、容器壁１１ａの二つの開口端）を塞いだ状態で固定される。
【０１３３】
なお、弾性紐部材２３は一端が下側取付部１３Ｂに設けられた弾性紐部材固定部１３ｆに結わえ付けられて固定され且つ張力（別言すると、収縮しようとする力）が発生している状態で他端が上側取付部１３Ａに取り付けられている回動部材２１ａに引っ掛けられているところ、回動部材２１ａは回動部材保持部２２ｂによって回動が禁止されている。このため、収容部１１の下側に於いて固定された上で下側蓋部１２Ｂと係合すると共に容器壁１１ａに沿って上側へと至って上側蓋部１２Ａと係合して回動部材２１ａへと引っ掛けられる弾性紐部材２３の張力／収縮力により、上側蓋部１２Ａ及び下側蓋部１２Ｂが収容部１１の二つの開放部１１ｃ，１１ｃへと押し当てられ押し付けられて装着された状態が維持される。
【０１３４】
このとき、弾性紐部材２３の張力／収縮力により、回動部材２１ａを回動させようとする力が働いており、回動部材２１ａの上端部分（のうちの一部）が回動部材保持部２２ｂの内べりへと押し付けられている。このため、回動制御部２２は吊下げ部材２に対して容易には動かない程度には固定されている（このことから、上述の、例えば楔形の小木片などによる、吊下げ部材２に対する回動制御部２２の位置の固定の細工は必須ではない）。なお、弾性紐部材２３の張力／収縮力が強過ぎると回動部材保持部２２ｂの内べりへの回動部材２１ａの押し付けの力が強くなり、結果として回動制御部２２が過度に動き難くなってしまうので、吊下げ部材２に対する回動制御部２２の移動が必要以上に阻害されないように、弾性紐部材２３の張力／収縮力が調整される。
【０１３５】
上述の状態のまま、錘３並びに容器１０及び開閉機構２０が船上から海や湖へと（静かに）投下される。錘３並びに容器１０及び開閉機構２０は、錘３の重みによって回動制御部２２の水底当接部２２ｉが下端に位置した状態で水中を下降する。この際、吊下げ部材２の、錘３とは反対側の端部は船上に保持される。
【０１３６】
水底当接部２２ｉが水底（具体的には、海底や湖底）や所定の岩礁などに着底・着地等するまで、吊下げ部材２が船上から徐々に繰り出される。
【０１３７】
水底当接部２２ｉが水底や岩礁などに着底・着地等すると、錘３及び吊下げ部材２と共に容器１０は引き続き下降する一方で、水底当接部２２ｉは水底へと突き当たる（この時、例えば楔形の小木片などによる、吊下げ部材２に対する回動制御部２２の位置の固定の細工が施されている場合にはその固定が解除される）。
【０１３８】
容器１０がさらに下降すると、回動部材２１ａは収容部１１と共に下向きに移動する一方で回動制御部２２は水底へと当接した状態で留まるので、回動部材保持部２２ｂが回動部材２１ａから外れ（言い換えると、回動部材保持部２２ｂの輪の内側から回動部材２１ａが抜け）、回動制御部２２は回動部材２１ａを解放する位置になり、回動部材２１ａが回動可能になる。
【０１３９】
回動部材２１ａが回動可能になると、弾性紐部材２３の張力／収縮力によって引っ張られて回動部材２１ａの上端側が上側蓋部１２Ａ側へと回動し、回動部材２１ａの上端部に引っ掛けられていた回動部材係止部２３ａが回動部材２１ａから外れる。
【０１４０】
回動部材係止部２３ａが自由になると上側蓋部１２Ａ及び下側蓋部１２Ｂの拘束力も解放され、弾性紐部材２３の張力／収縮力の働きもあって上側蓋部１２Ａ及び下側蓋部１２Ｂが収容部１１の開放部１１ｃ，１１ｃから離れる。
【０１４１】
この際、容器１０は、回動部材２１ａが回動部材保持部２２ｂから外れる程度に下降した後に下側取付部１３Ｂが係合部２２ｇへと突き当たることにより、下降が停止する。これにより、容器１０が水底に近づき過ぎたり着底・着地等したりして下側蓋部１２Ｂが押さえ付けられて収容部１１の開放部１１ｃから離れることができなくなってしまうことが防止される。言い換えると、下側蓋部１２Ｂが収容部１１の開放部１１ｃから離れる際に水底や岩礁などが邪魔になることがないように、容器１０の下降が停止する位置として係合部２２ｇと水底当接部２２ｉとの間の鉛直方向の寸法が調節される。
【０１４２】
そして、上側蓋部１２Ａ及び下側蓋部１２Ｂが収容部１１の開放部１１ｃ，１１ｃから離れることにより、収容部１１が開放されて中空部１１ｂに収容されている水産動植物がリリースされる。
【０１４３】
以上のように構成された水産動植物のリリース方法や水産動植物のリリース装置によれば、蓋部１２によって塞がれる開口（即ち、開放部１１ｃ）を有する収容部１１に水産動植物を収容した上で水中へと下降させて水中に於いて回動部材２１ａの回動の禁止状態から許容状態へと切り換えることにより、開口（開放部１１ｃ）を開放して水産動植物を収容部１１の外部へとリリースすることができる。このため、水産動物を傷つけることなく所定の水深に於いて水産動物を水中へと放流したり、所定の水深の所定の場所に於いて水産植物を水中で撒布したりすることが可能になり、延いては水産動物の生残確率の向上や水産植物の撒布の確実性の向上を図ることが可能になる。
【０１４４】
なお、上述の実施形態は本発明を実施する際の好適な形態の一例ではあるものの本発明の実施の形態が上述のものに限定されるものではなく、本発明の要旨を逸脱しない範囲において本発明は種々変形実施可能である。
【０１４５】
例えば、上述の実施形態では収容部１１について円筒状の容器壁１１ａの円筒中心軸方向における両端をどちらも開口として開放部１１ｃ，１１ｃとするようにしているが、容器壁１１ａの開口は上端側の開放部１１ｃだけでも良く、下端側は収容部１１としての底部が形成されて閉じられていても良い。この場合には、容器壁１１ａの上端側の開放部１１ｃに対して上側蓋部１２Ａのみが備えられ、下側蓋部１２Ｂは備えられない。また、容器壁１１ａの開口は下端側の開放部１１ｃだけでも良く、上端側は収容部１１としての天部が形成されて閉じられていても良い。この場合には、容器壁１１ａの下端側の開放部１１ｃに対して下側蓋部１２Ｂのみが備えられ、上側蓋部１２Ａは備えられない。この場合には、また、弾性紐部材２３は、収容部１１の上端側では（上側蓋部１２Ａの貫通孔１２ｃのような）貫通孔を貫通することなく、収容部１１の上端面に設置されるようにする。
【０１４６】
また、上述の実施形態では容器１０などとは別体の独立したものとして錘３が備えられるようにしているが、独立した構成として錘３が備えられることは本発明において必須の構成ではない。具体的には例えば、収容部１１を吊下げ部材２へと取り付けるための構造・部位（上述の実施形態における上側取付部１３Ａ及び下側取付部１３Ｂに相当する構造・部位）が相応の重量を備えるものとして形成されるようにしても良い。
【産業上の利用可能性】
【０１４７】
本発明の水産動植物のリリース方法や水産動植物のリリース装置は、例えば、水産動物の水中への放流や水産植物の水中での撒布を適切に行うことができるので、種々の海洋生態調査や海洋資源の保護或いは海洋環境の創生・再生などの分野で利用価値が高い。
【符号の説明】
【０１４８】
１    水産動植物のリリース装置
２    吊下げ部材
３    錘
４（４Ａ，４Ｂ）  降下部材
４ｃ  溝
１０    容器
１１    収容部
１１ａ  容器壁
１１ｂ  中空部
１１ｃ  開放部
１２    蓋部
１２Ａ  上側蓋部
１２Ｂ  下側蓋部
１２ｃ  貫通孔
１３    取付部
１３Ａ  上側取付部
１３Ｂ  下側取付部
１３ｃ  突支い部
１３ｄ  貫通孔
１３ｅ  貫通孔
１３ｆ  弾性紐部材固定部
２０    開閉機構
２１    回動部
２１ａ  回動部材
２１ｂ  回動軸
２１ｃ  貫通孔
２１ｄ  ワッシャ
２２    回動制御部
２２ａ  当接押下げ部
２２ｂ  回動部材保持部
２２ｃ  連結部
２２ｄ  貫通孔
２２ｅ  貫通孔
２２ｇ  係合部
２２ｈ  貫通孔
２２ｉ  水底当接部
２３    弾性紐部材
２３ａ  回動部材係止部
【図１】
2019122284.tif 000003
【図２】
2019122284.tif 000004
【図３】
2019122284.tif 000005
【図４】
2019122284.tif 000006